【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】輪転印刷機及び制御方法
【手続補正２】
【補正対象書類名】明細書
【補正対象項目名】特許請求の範囲
【補正方法】変更
【補正の内容】
【特許請求の範囲】
【請求項１】 旧ウェブロールのウェブに、新ウェブロールのウェブを紙継するペースタ装置を備えた給紙部と、
該ペースタ装置に該紙継の開始を指令する指令手段と、
該紙継時に該紙継に関連して設定変更すべき紙継関連変更要素と、を備えた輪転印刷機において、
該指令手段からの該紙継の指令により、該ペースタ装置と該紙継関連変更要素とを連携して作動を制御する制御手段とをそなえている
ことを特徴とする、輪転印刷機。
【請求項２】  該新ウェブロールのウェブ処理情報を記憶する記憶手段をそなえ、
該制御手段は、該記憶手段に記憶されたウェブ処理情報に基づいて該紙継関連変更要素の作動を制御する
ことを特徴とする、請求項１記載の輪転印刷機。
【請求項３】  該ウェブ処理情報は、該新ウェブロールの紙幅情報である
ことを特徴とする、請求項２記載の輪転印刷機。
【請求項４】  該紙継関連変更要素は、
該ウェブの走行ラインの左右両側の少なくとも一方に設けられるウェブガイドを含み、
該制御手段は、該ウェブガイドの位置を変更する
ことを特徴とする、請求項１〜３のいずれか１項に記載の輪転印刷機。
【請求項５】  該紙継関連変更要素は、該輪転印刷機の折機部に設けられる三角板を含み、
該制御手段は、該三角板の位置を変更する
ことを特徴とする、請求項１〜４のいずれか１項に記載の輪転印刷機。
【請求項６】  該制御手段は、
該指令手段により該紙継の開始が指令されると、該ウェブの走行速度を紙継対応速度にする
ことを特徴とする、請求項１〜５のいずれか１項に記載の輪転印刷機。
【請求項７】  該折機部の下流側に排紙部がそなえられ、
該制御手段は、該排紙部で紙継部分が排紙されたら、該ウェブの走行を停止させる
ことを特徴とする、請求項１〜６のいずれか１項に記載の輪転印刷機。
【請求項８】  輪転印刷機において、旧ウェブロールのウェブに、新ウェブロールのウェブを紙継する制御方法であって、
紙継開始前に、該新ウェブロールの紙幅に連動させて変更される紙継関連変更要素の変更内容を記憶手段に記憶させ、
次に、紙継開始指令により、該紙継関連変更要素を該記憶手段に記憶された変更内容に応じて変更する
ことを特徴とする、輪転印刷機の制御方法。
【請求項９】  印刷機の作動中に該紙継開始指令があると、該旧ウェブロールのウェブの走行速度を該紙継対応速度まで減速させる
ことを特徴とする、請求項８記載の輪転印刷機の制御方法。
【請求項１０】  該紙継関連変更要素は、該ウェブの走行ラインの左右両側の少なくとも一方に設けられるウェブガイドを含み、
該新ウェブロールの紙幅が該旧ウェブロールの紙幅よりも小さい場合、該ウェブの紙継部分が該ウェブガイドを通過してから該ウェブガイドの位置を変更し、
該新ウェブロールの紙幅が該旧ウェブロールの紙幅よりも大きい場合、該ウェブの紙継部分が該ウェブガイドを通過する前に該ウェブガイドの位置を変更する
ことを特徴とする、請求項８又は９記載の輪転印刷機の制御方法。
【請求項１１】  排紙部で該ウェブの紙継部分が排紙された後、印刷機を停止させる
ことを特徴とする、請求項８〜１０のいずれか１項に記載の輪転印刷機の制御方法。
【手続補正３】
【補正対象書類名】明細書
【補正対象項目名】０００１
【補正方法】変更
【補正の内容】
【０００１】
【発明の属する技術分野】
本発明は、輪転印刷機において、現在使用中の旧ウェブロールに、次の印刷で使用される新ウェブロールを紙継する際に用いて好適の、輪転印刷機及び制御方法に関する。
【手続補正４】
【補正対象書類名】明細書
【補正対象項目名】００２０
【補正方法】変更
【補正の内容】
【００２０】
本発明は、このような課題に鑑み創案されたもので、印刷準備時間を短縮して操業効率を向上でき、且つ作業者の操作負担を軽減できるようにした、輪転印刷機及びその制御方法を提供することを目的とする。
【手続補正５】
【補正対象書類名】明細書
【補正対象項目名】００２１
【補正方法】変更
【補正の内容】
【００２１】
【課題を解決するための手段】
このため、本発明の輪転印刷機（請求項１）は、旧ウェブロールのウェブに、新ウェブロールのウェブを紙継するペースタ装置を備えた給紙部と、該ペースタ装置に該紙継の開始を指令する指令手段と、該紙継時に該紙継に関連して設定変更すべき紙継関連変更要素と、を備えた輪転印刷機において、該指令手段からの該紙継の指令により、該ペースタ装置と該紙継関連変更要素とを連携して作動を制御する制御手段とをそなえていることを特徴としている。
【手続補正６】
【補正対象書類名】明細書
【補正対象項目名】００２２
【補正方法】変更
【補正の内容】
【００２２】
該新ウェブロールのウェブ処理情報を記憶する記憶手段をそなえ、該制御手段は、該記憶手段に記憶されたウェブ処理情報に基づいて該紙継関連変更要素の作動を制御することが好ましい（請求項２）。
該ウェブ処理情報は、該新ウェブロールの紙幅情報であることが好ましい（請求項３）。
【手続補正７】
【補正対象書類名】明細書
【補正対象項目名】００２３
【補正方法】変更
【補正の内容】
【００２３】
該紙継関連変更要素は、該ウェブの走行ラインの左右両側の少なくとも一方に設けられるウェブガイドを含み、該制御手段は、該ウェブガイドの位置を変更することが好ましい（請求項４）。
該紙継関連変更要素は、該輪転印刷機の折機部に設けられる三角板を含み、該制御手段は、該三角板の位置を変更することが好ましい（請求項５）。
【手続補正８】
【補正対象書類名】明細書
【補正対象項目名】００２６
【補正方法】変更
【補正の内容】
【００２６】
本発明の輪転印刷機の制御方法（請求項８）は、旧ウェブロールのウェブに、新ウェブロールのウェブを紙継する制御方法であって、紙継開始前に、該新ウェブロールの紙幅に連動させて変更される紙継関連変更要素の変更内容を記憶手段に記憶させ、次に、紙継開始指令により、該紙継関連変更要素を該記憶手段に記憶された変更内容に応じて変更することを特徴としている。
【手続補正９】
【補正対象書類名】明細書
【補正対象項目名】００２７
【補正方法】変更
【補正の内容】
【００２７】
印刷機の作動中に該紙継開始指令があると、該旧ウェブロールのウェブの走行速度を該紙継対応速度まで減速させることが好ましい（請求項９）。
該紙継関連変更要素は、該ウェブの走行ラインの左右両側の少なくとも一方に設けられるウェブガイドを含み、該新ウェブロールの紙幅が該旧ウェブロールの紙幅よりも小さい場合、該ウェブの紙継部分が該ウェブガイドを通過してから該ウェブガイドの位置を変更し、該新ウェブロールの紙幅が該旧ウェブロールの紙幅よりも大きい場合、該ウェブの紙継部分が該ウェブガイドを通過する前に該ウェブガイドの位置を変更することが好ましい（請求項１０）。
排紙部で該ウェブの紙継部分が排紙された後、印刷機を停止させることが好ましい（請求項１１）。
【手続補正１０】
【補正対象書類名】明細書
【補正対象項目名】００５６
【補正方法】変更
【補正の内容】
【００５６】
【発明の効果】
以上詳述したように、本発明の輪転印刷機及び制御方法によれば、紙継動作と紙継関連変更要素とを別個に作動する必要がなく、作業者の操作負担を軽減できる。また、印刷準備時間を短縮することができるので、操業効率を向上することが可能である。